(57)【特許請求の範囲】
【請求項１】
所定の間隔をあけて複数並設して使用される収納棚であって、
収納物が載置される棚板と、
前記棚板を案内して水平方向外側に引出可能に支持するスライドガイドと、
一方の前記収納棚と所定の間隔をあけて隣り合う他方の前記収納棚から水平方向に引き出された前記他方の収納棚の前記棚板の引出方向先端側を、前記一方の収納棚の前記棚板側に支持可能な支持構造を備え、
前記支持構造は、前記一方の収納棚の前記棚板の先端側及び前記他方の収納棚の前記棚板の先端側のそれぞれに設けられていることを特徴とする収納棚。
【請求項２】
請求項１記載の収納棚において、
前記支持構造は、
前記一方の収納棚の前記棚板の先端側及び前記他方の収納棚の前記棚板の先端側のうちいずれか一方に設けられた係合凸部と、
前記一方の収納棚の前記棚板の先端側及び前記他方の収納棚の前記棚板の先端側のうち他方に設けられた係合凹部とを有し、
前記係合凸部と前記係合凹部とは、互いに係合することで上下方向の相対移動を規制し、
隣り合う収納棚の片方から水平方向に引き出された前記他方の収納棚の前記棚板に設けられた前記係合凸部または前記係合凹部の一方が、前記係合凸部または前記係合凹部の他方に係合することで前記他方の収納棚の前記棚板を支持可能であることを特徴とする収納棚。
【請求項３】
請求項２記載の収納棚において、
前記係合凸部と前記係合凹部は、一方が他方に係合する際に、一方を上方へと案内する傾斜面を有することを特徴とする収納棚。
【請求項４】
請求項２または請求項３に記載の収納棚において、
前記支持構造は、
前記一方の収納棚の前記棚板の先端側及び前記他方の収納棚の前記棚板の先端側のうちいずれか一方に設けられた係止孔と、
前記一方の収納棚の前記棚板の先端側及び前記他方の収納棚の前記棚板の先端側のうち他方に設けられた係止ピンとからなる係止機構を有し、
前記係止孔と前記係止ピンとは、互いに係合することで上下方向の相対移動を規制することを特徴とする収納棚。
【請求項５】
請求項１記載の収納棚において、
前記支持構造は、
前記一方の収納棚の前記棚板の先端側及び前記他方の収納棚の前記棚板の先端側のうちいずれか一方に設けられたマグネットと、
前記一方の収納棚の前記棚板の先端側及び前記他方の収納棚の前記棚板の先端側のうち他方に設けられた磁性体からなる被吸着部とを有し、
前記マグネットと前記被吸着部とは互いに吸着可能であって、
隣り合う収納棚の片方から水平方向に引き出された前記他方の収納棚の前記棚板に設けられた前記マグネットまたは前記被吸着部の一方が、前記マグネットまたは前記被吸着部の他方に吸着することで前記他方の収納棚の前記棚板を支持可能であることを特徴とする収納棚。
【請求項６】
請求項１から請求項５のいずれか一項に記載の収納棚において、
前記棚板は、前記収納物が載置される棚本体と、
前記スライドガイドに対して水平方向外側に引出可能に支持されるとともに、前記棚本体を水平方向にスライド可能に支持するスライドレールとを有し、
前記支持構造は、前記所定の間隔をあけて隣り合う収納棚の片方に該スライドレールを支持することを特徴とする収納棚。
【発明の詳細な説明】
【技術分野】
【０００１】
本発明は、収納物を収納する収納棚に関する。
【背景技術】
【０００２】
一般に、二次電池によって電源を構成する場合、複数の二次電池によって組電池を構成する。風力発電や定置型の各種設備の電源として用いる場合などには、数十個の単位で組電池を構成する場合がある。このような場合、複数の二次電池は、収納棚に配列して収納され、互いにバスバーや電線によって接続されることで組電池を構成している。そして、必要なメンテナンスや交換を実施する場合には、作業者が収納棚前面から収納されている二次電池にアクセスするようにしている。
【０００３】
ところで、上記二次電池のような収納物を収納するための収納棚としては、収納物をスライド可能に支持するスライド装置を備えたものが提案されている（例えば、特許文献１参照）。特許文献１のような収納棚においては、収納棚内にスライド装置としてスライド可能なバーが搭載されており、当該バー上に収納物が配置されている。このため、バーをスライドさせることで、バー上の収納物を収納棚の内部から外部へと引き出すことが可能であり、収納物に対して外部へ引き出された状態でアクセスすることが可能となる。
【先行技術文献】
【特許文献】
【０００４】
【特許文献１】実開昭６０−１６７５５０号公報
【発明の概要】
【発明が解決しようとする課題】
【０００５】
しかしながら、特許文献１のような収納棚では、収納物をスライド装置によってスライドさせて外部へと引き出した状態では、収納物が片持ち状に支持されることとなる。このため、二次電池などの重量物を収納物として収納した場合には、安定的に支持することが困難であった。また、安定的に支持しようとすれば、スライド装置の構成が大掛かりなものとなってしまう問題があった。
【０００６】
本発明は、上記事情に鑑み、簡易な構成で、棚板に載置した二次電池などの重量物であっても収納物を安定的に支持された状態で取り出すことが可能な収納棚を提供することを目的とする。
【課題を解決するための手段】
【０００７】
上記の目的を達するために、この発明は以下の手段を提供している。 
本発明の収納棚は、所定の間隔をあけて複数並設して使用される収納棚であって、収納物が載置される棚板と、前記棚板を案内して水平方向外側に引出可能に支持するスライドガイドと、一方の前記収納棚と所定の間隔をあけて隣り合う他方の前記収納棚から水平方向に引き出された前記他方の収納棚の前記棚板の引出方向先端側を、前記一方の収納棚の前記棚板側に支持可能な支持構造を備え、前記支持構造は、前記一方の収納棚の前記棚板の先端側及び前記他方の収納棚の前記棚板の先端側のそれぞれに設けられていることを特徴とする。
【０００８】
この発明においては、二次電池などの重量物である収納物が棚板に載置されている場合であっても、棚板を引き出すことによって収納物を容易に収納棚の外側に取り出すことが可能になる。一方、収納物が載置された棚板を単に引き出した場合には、引き出した棚板がその引出方向基端側のみで支持された片持ち状態になり不安定になる。しかしながら、本発明においては、所定の間隔をあけて隣り合う収納棚の片方から引き出した棚板の引出方向先端側を、相手方の収納棚の棚板に支持する支持構造を備えているため、収納棚から棚板を引き出して相手方の収納棚に架け渡すように配設した状態で、引き出した棚板を両端支持で支持することができる。これにより、重量物が収納物として棚板に載置されている場合であっても、引き出した棚板を安定して支持することが可能になる。また、上記のとおり、隣り合う収納棚の片方との間で棚板を両端支持により安定的に支持することが可能であるが故に、一端で棚板をスライド可能に支持するスライドガイドの構造、収納物を直接支持する棚板の構造を簡易なものとすることができる。
【発明の効果】
【０００９】
本発明の収納棚によれば、簡易な構成で、棚板に載置した二次電池などの重量物であっても収納物を安定的に支持された状態で取り出すことができる。
【図面の簡単な説明】
【００１０】
【図１】本発明の一実施形態に係る収納棚を示す平面図であり、コンテナ内に設けられて電池を収納した状態を示す図である。
【図２】図１のＸ１−Ｘ１線矢視図であり、本発明の一実施形態に係る収納棚を示す正面図である。
【図３】本発明の一実施形態に係る収納棚から棚板を引き出した状態を示す平面図である。
【図４】図３のＸ１−Ｘ１線矢視図であり、本発明の一実施形態に係る収納棚から棚板を引き出した状態を示す側面図である。
【図５】本発明の一実施形態に係る収納棚の支持構造を示す斜視図である。
【図６】本発明の一実施形態に係る収納棚から棚板を引き出し、一方の収納棚と他方の収納棚に架け渡した状態を示す平面図である。
【図７】図６のＸ１−Ｘ１線矢視図であり、本発明の一実施形態に係る収納棚から棚板を引き出し、一方の収納棚と他方の収納棚に架け渡した状態を示す側面図である。
【図８】本発明の一実施形態に係る収納棚から引き出した棚板の先端側を支持構造で支持する状態を示す断面図である。
【図９】本発明の一実施形態に係る収納棚から引き出した棚板の先端側を支持構造で支持する状態を示す断面図である。
【図１０】本発明の一実施形態に係る収納棚の係止機構を備えた支持構造を示す断面図であり、収納棚から引き出した棚板の先端側を支持構造で支持する状態を示す図である。
【図１１】本発明の一実施形態に係る収納棚のスライド部材に備えた支持構造を示す平面図であり、収納棚からスライド部材を引き出して一方の収納棚と他方の収納棚に架け渡し、スライド部材に案内させて棚板を引き出す状態を示す平面図である。
【図１２】本発明の一実施形態に係る収納棚の支持構造の変形例を示す斜視図である。
【図１３】本発明の一実施形態に係る収納棚の支持構造の他の変形例を示す側面図である。
【発明を実施するための形態】
【００１１】
以下、図１から図９を参照し、本発明の一実施形態に係る収納棚について説明する。図１は、複数の電池で構成されるとともに移動可能な電池ユニット１００を示している。図１に示すように、電池ユニット１００は、箱状のコンテナ２と、コンテナ２の内部に配置された対をなす収納棚１０、１１と、収納棚１０、１１に収納された収納物である複数の電池１とを備える。電池１は、特に限定されないが、例えば二次電池や燃料電池である。
【００１２】
一対の収納棚１０、１１は、コンテナ２の長手方向に沿って、且つ互いの間に間隔をあけるようにして並設されている。一対の収納棚１０、１１の間隔は人が通行する可能な幅を有しており通路５を構成している。
【００１３】
収納棚１０、１１は、図１及び図２に示すように、コンテナ２の床面に固定されたフレーム１４（１４ａ、１４ｂ）と、上下方向Ｔ１に所定の間隔をあけて多段状に取り付けられた複数の棚板１２（１２ａ、１２ｂ）と、棚板１２をフレーム１４に対してスライド可能に支持するスライドガイド１３とを備える。各段には、棚板１２が収納棚１０、１１の長手方向となる水平方向Ｔ２に沿って複数設けられている。
【００１４】
また、スライドガイド１３は、収納棚１０、１１の奥行き方向となる水平方向Ｔ３に延設されており、各棚板１２に対応して対をなして設けられている。そして、各棚板１２は、両側端が対応するスライドガイド１３によって水平方向Ｔ３にスライド可能に支持されている。そして、各棚板１２は、図３及び図４に示すように、スライドガイド１３に案内されて収納棚１０、１１から通路５側にスライド移動可能（収納棚１０、１１から水平方向Ｔ３外側に引出可能）である。
【００１５】
このように構成した本実施形態の収納棚１０、１１には、図１から図４に示すように、電池１が、各棚板１２に水平方向Ｔ２に沿って２基ずつ配列するようにして載置されている。また、各棚板１２に載置された電池１同士は、板状のバスバー（不図示）によって電気的に接続されている。また、異なる棚板１２に載置された電池１同士は、例えば螺旋状に形成した伸縮自在なケーブル（不図示）によって電気的に接続されている。このようにして複数の電池１は、直列または並列に接続され、全体として組電池を構成している。
【００１６】
そして、本実施形態の収納棚１０、１１においては、図３及び図４に示すように、棚板１２をスライドガイド１３に案内させて通路５側に引き出すことにより、棚板１２に載置された電池１を収納棚１０、１１から外側に、すなわち通路５上となる位置まで取り出すことができる。なお、このとき、ケーブルが伸縮自在に形成されているため、異なる棚板１２同士の電池１の相対位置が変化しても、ケーブルを取り外すことなく各棚板１２に載置された電池１を収納棚１０、１１から外側に取り出すことが可能である。
【００１７】
ここで、棚板１２に載置された複数の電池１が重量物であるため、単に棚板１をスライドさせて通路５に引き出した片持ち状態では、棚板１２が不安定になり、電池１の交換や定期的メンテナンスなどを好適に行うことができないおそれがある。
【００１８】
これに対し、本実施形態の収納棚１０、１１においては、通路５を挟んで並設された一対の収納棚１０、１１の同一水平面上に設けられ、互いに対向する棚板１２ａ、１２ｂ同士の先端１２ｃ側に支持構造１５が設けられている。
【００１９】
この支持構造１５は、所定の間隔をあけて隣り合う一方の収納棚１０（１１）の棚板１２ａ（１２ｂ）を水平方向Ｔ３外側に引き出して他方の収納棚１１（１０）に架け渡すように配設した状態で、引き出した棚板１２ａ（１２ｂ）の引出方向Ｔ３先端１２ｃ側を棚板１２ｂ（１２ａ）側に支持するためのものである。
【００２０】
そして、本実施形態の支持構造１５は、図５に示すように、一方の収納棚１０（１１）と他方の収納棚１１（１０）の棚板１２ａ、１２ｂの引出方向Ｔ３先端１２ｃ側に形成された係合凸部（第１係合凸部１６、第２係合凸部１９）と係合凹部（第１係合凹部１７、第２係合凹部１８）によって構成されている。
【００２１】
より具体的に、本実施形態において、一方の収納棚１０（１１）の棚板１２ａ（１２ｂ）の支持構造１５は、幅方向となる水平方向Ｔ２両側にそれぞれ設けられて先端１２ｃから引出方向Ｔ３外側に突出する第１係合凸部１６と、両側の第１係合凸部１６の間の中央部に設けられて先端１２ｃから基端側に凹む第１係合凹部１７とを備えている。また、他方の収納棚１１（１０）の棚板１２ｂ（１２ａ）は、幅方向となる水平方向Ｔ２両側にそれぞれ設けられて先端１２ｃから基端側に凹む第２係合凹部１８と、両側の第２係合凹部１８の間の中央部に設けられて先端１２ｃから引出方向Ｔ３外側に突出する第２係合凸部１９とを備えている。ここで、一方の収納棚１０（１１）の第１係合凸部１６と、他方の収納棚１１（１０）の第２係合凹部１８とが対応していて、互いに係合可能な形状とされている。また、一方の収納棚１０（１１）の第１係合凹部１７と、他方の収納棚１１（１０）の第２係合凸部１９とが対応していて、互いに係合可能な形状とされている。
【００２２】
また、本実施形態では、第１係合凸部１６と第２係合凸部１９がそれぞれ、棚板１２ａ、１２ｂの引出方向Ｔ３外側に向かうに従い漸次その厚さが大となるように形成されている。これにより、第１係合凸部１６と第２係合凸部１９はそれぞれ、対応する第２係合凹部１８または第１係合凹部１７と係合する係合面として、棚板１２ａ、１２ｂの厚さ方向内側を向く面が引出方向Ｔ３外側に向かうに従い漸次厚さ方向外側に傾斜する傾斜面２０を有している。
【００２３】
また、第１係合凹部１７と第２係合凹部１８はそれぞれ、対応する第２係合凸部１９または第１係合凸部１６と係合する係合面として、棚板１２ａ、１２ｂの先端１２ｃから基端側に向かうに従い漸次厚さ方向側に向けて傾斜する傾斜面２１を有している。
【００２４】
上記構成からなる支持構造１５を備えた本実施形態の収納棚１０、１１においては、電池１の交換や定期的メンテナンスなどを行う際に、図６及び図７に示すように、一方の収納棚１０（１１）から棚板１２ａ（１２ｂ）をスライドガイド１３によってスライドさせて通路５に引き出し、他方の収納棚１１（１０）に架け渡すように配設する。
【００２５】
そして、このように交換や定期的メンテナンスなどを行う電池１が載置された一方の収納棚１０（１１）の棚板１２ａ（１２ｂ）を他方の収納棚１１（１０）に架け渡すように引き出すと、図８（図５参照）に示すように、一方の収納棚１０（１１）と他方の収納棚１１（１０）の同一水平面上に設けられた棚板同士１２ａ、１２ｂの係合凸部と係合凹部（第１係合凸部１６と第２係合凹部１８、第１係合凹部１７と第２係合凸部１９）が係合し、上下方向の相対移動が規制される。これにより、引き出した棚板１２ａ（１２ｂ）は、基端側が一方の収納棚１０（１１）のスライドガイド１３に、先端１２ｃ側が他方の収納棚１１（１０）の棚板１２ｂ（１２ａ）にそれぞれ支持され、両端支持の状態で一方の収納棚１０（１１）と他方の収納棚１１（１０）の間に架け渡される。よって、重量物の電池１を載置した棚板１２ａ（１２ｂ）を通路５上に引き出した際に、安定した状態で棚板１２ａ（１２ｂ）が保持され、電池１の交換や定期的メンテナンスなどが好適に行える。
【００２６】
一方、載置された電池１が重量物であるため、図９に示すように、棚板１２を引き出して支持構造１５で先端１２ｃ側を支持させるまでの間、棚板１２が片持ち状態になって、棚板１２自体が撓んで先端１２ｃ側が下方に変位し、あるいは、スライドガイド１３と棚板１２との間に存在する隙間分だけ先端１２ｃ側が下方に変位するおそれがある。
【００２７】
これに対し、本実施形態では、支持構造１５の第１係合凸部１６、第１係合凹部１７、第２係合凸部１９、第２係合凹部１８が傾斜面２０、２１を有している。このため、図９に示すように、互いに対応する第１係合凸部１６と第２係合凹部１８の傾斜面２０、２１、第１係合凹部１７と第２係合凸部１９の傾斜面２０、２１が当接した後に、さらに棚板１２ａ（１２ｂ）を引き出して進出させると、これら傾斜面２０、２１同士で案内し合うことになる。このため、棚板１２ａ（１２ｂ）の先端１２ｃ側が下方に変位したとしても、当該変位した先端１２ｃを上方へと案内することで、係合凸部と係合凹部とが互いに係合した状態となる。これにより、一方の収納棚１０（１１）の棚板１２ａ（１２ｂ）と他方の収納棚１１（１０）の棚板１２ｂ（１２ａ）の先端１２ｃ側同士が確実に係合し、引き出した棚板１２ａ（１２ｂ）が安定した状態で支持されることになる。
【００２８】
したがって、本実施形態の収納棚１０、１１においては、二次電池などの重量物が棚板１２ａ、１２ｂに載置されている場合であっても、棚板１２ａ、１２ｂを引き出すことによって重量物を容易に収納棚１０、１１の外側に取り出すことが可能になる。
【００２９】
また、一方の収納棚１０（１１）から引き出した棚板１２ａ（１２ｂ）の先端１２ｃ側には、棚板１２ａ（１２ｂ）の先端１２ｃ側を支持する支持構造１５が具備されているため、一方の収納棚１０（１１）から棚板１２ａ（１２ｂ）を引き出して他方の収納棚１１（１０）に架け渡すように配設して、引き出した棚板１２ａ（１２ｂ）を両端支持の状態で支持することができる。これにより、重量物が棚板１２ａ、１２ｂに載置されている場合であっても、引き出した棚板１２ａ、１２ｂを安定して支持することが可能になる。また、収納棚１０、１１の間で棚板１２ａ（１２ｂ）を両端支持により安定的に支持することが可能であるが故に、基端で棚板１２ａ（１２ｂ）をスライド可能に支持するスライドガイド１３の構造、収納物を直接支持する棚板１２ａ（１２ｂ）の構造を簡易なものとすることができる。
【００３０】
さらに、支持構造１５が一方の収納棚１０（１１）と他方の収納棚１１（１０）の棚板１２ａ（１２ｂ）の先端１２ｃ側に形成された係合凸部１６、１９と係合凹部１７、１８で構成されていることにより、一方の収納棚１０（１１）から棚板１２ａ（１２ｂ）を引き出して他方の収納棚１１（１０）に架け渡すように配設するとともに、一方の収納棚１０（１１）と他方の収納棚１１（１０）の対向する棚板１２ａ、１２ｂ同士の係合凸部１６、１９と係合凹部１７、１８を係合させて、引き出した棚板１２ａ、１２ｂを両端支持の状態で支持することができる。これにより、重量物が棚板１２ａ、１２ｂに載置されている場合であっても、引き出した棚板１２ａ、１２ｂを確実に安定して支持することが可能になる。
【００３１】
さらに、引き出した棚板１２ａ、１２ｂを同一水平面上に案内して係合凸部１６、１９と係合凹部１７、１８を係合させる傾斜面２０、２１が係合凸部１６、１９と係合凹部１７、１８に設けられているため、引き出した棚板１２ａ、１２ｂの先端１２ｃ側が重量物の重みなどによって下方に変位した場合であっても、一方の収納棚１０（１１）から棚板１２ａ（１２ｂ）を引き出して他方の収納棚１１（１０）に架け渡すように配設するとともに、確実に傾斜面２０、２１で案内して係合凸部１６、１９と係合凹部１７、１８を係合させることが可能になる。
【００３２】
これにより、コンテナ２内に設置され、多数の電池１を棚板１２ａ、１２ｂに載置して使用した場合において、電池１に劣化や故障が発生したり、電池１の定期的なメンテナンスを行う際に、棚板１２ａ、１２ｂを引き出して一方の収納棚１０（１１）と他方の収納棚１１（１０）の間に架け渡し、安定した状態で容易に電池１に対してアクセスすることができる。よって、電池１の交換作業やメンテナンス作業に迅速且つ柔軟に対応することが可能になる。
【００３３】
以上、本発明に係る収納棚の一実施形態について説明したが、本発明は上記の一実施形態に限定されるものではなく、その趣旨を逸脱しない範囲で適宜変更可能である。
【００３４】
例えば、支持構造１５として、収納棚１０（１１）に、相手側の収納棚１１（１０）の棚板１２ａ、１２ｂの先端１２ｃ側を係止する係止機構２２を備えるようにしてもよい。係止機構２２は、例えば、図１０に示すように、一方の収納棚１０（１１）の棚板１２ａ（１２ｂ）の先端１２ｃに設けられ、先端１２ｃから基端側に向けて凹む係止孔２２ａと、他方の収納棚１１（１０）の棚板１２ｂ（１２ａ）の先端１２ｃに、先端１２ｃから外側に向けて付勢され、出没可能に設けられた係止ピン２２ｂとを備えている。
【００３５】
このような係止機構２２を備えた場合には、一方の収納棚１０（１１）から引き出した棚板１２ａ（１２ｂ）の先端１２ｃ側を他方の収納棚１１（１０）の棚板１２ｂ（１２ａ）の先端１２ｃ側に係合させる際に、引き出した棚板１２ａ（１２ｂ）の先端１２ｃが係止機構２２の係止ピン２２ｂを押圧して他方の収納棚１１（１０）の棚板１２ｂ（１２ａ）の内部に押し込む。そして、第１係合凸部１６と第２係合凹部１８の傾斜面２０、２１同士、第１係合凹部１７と第２係合凸部１９の傾斜面２０、２１同士が案内し合って棚板１２ａ（１２ｂ）が所定位置に配設されると、係止ピン２２ｂと係止孔２２ａの位置が合わされ、係止ピン２２ｂが係止孔２２ａに挿入される。これにより、引き出した棚板１２ａ（１２ｂ）の先端１２ｃは、相手方の収納棚１１（１０）に係止され下方への移動が規制される。このため、棚板１２ａ（１２ｂ）を安定した状態で支持することが可能となる。また、図１０の例では、係合凸部１６、１９と係合凹部１７、１８との係合による支持と、係止機構２２による支持とを併用していることで、棚板１２ａ（１２ｂ）をより安定した状態で支持することが可能になる。
【００３６】
また、図１１に示すように、棚板１２（１２ａ、１２ｂ）を、収納物である電池１を載置する棚本体３０（３０ａ、３０ｂ）と、棚本体３０（３０ａ、３０ｂ）をスライド可能に支持するとともに、スライドガイド１３にスライド可能に支持されたスライドレール３１（３１ａ、３１ｂ）とで構成するものとしても良い。スライドレール３１は、スライドガイド１３に対して水平方向Ｔ３に相対的にスライド移動可能であるとともに、棚本体３０に対しても水平方向Ｔ３に相対的にスライド移動可能となっている。そして、このような構成において、支持構造１５をスライドレール３１の先端に設けるようにしても良い。
【００３７】
この場合には、図１１に示すように、一方の収納棚１０（１１）から、スライドレール３１を先行して引き出し、一方の収納棚１０（１１）と他方の収納棚１１（１０）に架け渡すように配設する。そして、引き出したスライドレール３１の先端側を他方の収納棚１１（１０）のスライドレール３１の先端側に係合させる。このようにしてスライドレール３１の基端側を一方の収納棚１０（１１）に、先端側を他方の収納棚１１（１０）に支持させて両端支持の状態にした段階で、引き出したスライドレール３１に案内させて一方の収納棚１０（１１）から棚本体３０を引き出す。
【００３８】
これにより、本実施形態と同様、電池１などの重量物が棚板１２ａ、１２ｂに載置されている場合であっても、スライドレール３１を引き出して両端支持の状態にすることができ、この状態のスライドレール３１に案内させて棚本体３０を引き出すことで重量物を容易に収納棚１０、１１の外側に取り出すことが可能になる。
【００３９】
また、この場合には、電池１の荷重を直接支持する棚本体３０に先行して、スライドレール３１のみが引き出されて一方の収納棚１０（１１）と他方の収納棚１１（１０）との間に掛け渡されて支持された状態になる。すなわち、作業者は、まず電池１の荷重を受けることなくスライドレール３１を両収納棚１０、１１に掛け渡すことができる。そして、この状態で棚本体３０を引き出すことで、棚本体３０が両収納棚１０、１１に掛け渡されて両端支持されたスライドレール３１上をスライドすることになり、作業者は、電池１の荷重を負担することなく、棚本体３０をより安定的に、かつより容易に通路５上に引き出すことができる。なお、スライドレールは、相対的にスライド移動可能な複数のレール部材によって構成されていて、相対移動させることで伸縮可能な構成としても良い。
【００４０】
さらに、本実施形態では、支持構造１５の係合凸部１６、１９と係合凹部１７、１８が傾斜面２０、２１を備えるものとしたが、これに限定しなくてもよい。例えば図１２のように一方の棚板１２ａが第１係合凸部４０及び第２係合凹部４１を有し、他方の棚板１２ｂが、対応して第２係合凹部４２及び第２係合凸部４３を備えるものとしても良い。第１係合凸部４０及び第２係合凸部４３は、それぞれ係合面として鉛直下方を向く面４０ａ、４３ａを有している。また、第１係合凹部４１及び第２係合凹部４２は、それぞれ係合面として鉛直上方を向く面４１ａ、４２ａを有している。そして、一方の棚板１２ａの第１係合凸部４０の面４０ａと、他方の棚板１２ｂの第２係合凹部４２の面４２ａとが当接することで互いに係合し、上下方向への相対移動を規制している。また、一方の棚板１２ａの第１係合凹部４１の面４１ａと、他方の棚板１２ｂの第２係合凸部４３の面４３ａとが当接することで互いに係合し、上下方向への相対移動を規制している。支持構造１５が、傾斜面を有しない構成としても係合凸部と係合凹部との係合によって上下方向への相対移動を規制し、棚板１２を両端支持によって安定的に支持することができる。
【００４１】
また、支持構造１５を構成する係合凸部及び係合凹部はいずれも、対応する収納棚１０、１１の棚板１２に設けられるものとしたが、これに限るものではない。少なくとも係合凸部または係合凹部の少なくとも一方が、棚板１２の先端１２ｃに設けられていれば、他方については例えばフレーム１４上に設けられていて、フレーム１４によって棚板１２の先端１２ｃを支持するようにしても良い。
【００４２】
また、上記実施形態において、支持構造１５は、互いに係合可能な係合凸部と係合凹部によって構成されているものとしたが、これに限るものはなく、例えば、係合凸部と係合凹部に代えて、図１３に示すように、マグネット４５と磁性体からなる被吸着部４６によって構成されているものとしても良い。この場合にはマグネット４５と被吸着部４６とが磁力によって吸着されることにより、棚板１２の先端１２ｃが支持されることとなる。なお、磁性体からなる被吸着部４６は、鉄などの磁性材料からなるものとしても良いし、マグネットでも良い。また、被吸着部４６としては、棚板１２やフレーム１４などに磁性体からなる別部材を固定する必要はなく、棚板１２やフレーム１４自体が磁性体からなる場合には、棚板１２やフレーム１４自体が被吸着部であるものとしても良い。
【００４３】
また、本実施形態では、収納棚１０、１１がコンテナ２内に設けられて二次電池などの電池１の収納に使用されるものとして説明を行ったが、本発明の収納棚は、電池１の収納に限定して使用する必要はなく、勿論、あらゆる物品の収納（載置）、あらゆる場所に適用可能である。
【符号の説明】
【００４４】
１      電池
２      コンテナ
５      通路
１０    収納棚
１１    収納棚
１２、１２ａ、１２ｂ    棚板
１３    スライドガイド
１５    支持構造
１６、４０    第１係合凸部（係合凸部）
１７、４１    第１係合凹部（係合凹部）
１８、４２    第２係合凹部（係合凹部）
１９、４３    第２係合凸部（係合凸部）
２０    傾斜面
２１    傾斜面
２２    係止機構
２２ａ  係止孔
２２ｂ  係止ピン
３０    棚本体
３１    スライドレール
４５    マグネット
４６    被吸着部
Ｔ１    上下方向
Ｔ２    水平方向
Ｔ３    水平方向（引出方向）
【図１】
0005386460.tif 000002
【図２】
0005386460.tif 000003
【図３】
0005386460.tif 000004
【図４】
0005386460.tif 000005
【図５】
0005386460.tif 000006
【図６】
0005386460.tif 000007
【図７】
0005386460.tif 000008
【図８】
0005386460.tif 000009
【図９】
0005386460.tif 000010
【図１０】
0005386460.tif 000011
【図１１】
0005386460.tif 000012
【図１２】
0005386460.tif 000013
【図１３】
0005386460.tif 000014